Podtech/llm-jp-corpus-v4-ja_patent huggingface dataset:
【誤訳訂正書】
【提出日】平成30年3月5日(2018.3.5)
【誤訳訂正１】
【訂正対象書類名】明細書
【訂正対象項目名】０００９
【訂正方法】変更
【訂正の内容】
【０００９】
更に本発明は、前記多相ポリマー組成物を製造するための方法であって、次のステップ、
−重合可能なエチレン−ブチレンマクロマー、エチレン−プロピレンマクロマー、エチレン−ブチレン−プロピレンマクロマー及びイソブチレンマクロマーからなる群から選択される少なくとも一種のマクロマーの存在下にコモノマー混合物を重合して、アクリレート主鎖と炭化水素側鎖とを持つ櫛形コポリマー（Ａ）を形成するステップ；ここで前記コモノマー混合物は、
・コモノマー混合物と少なくとも一種のマクロマーとの総重量をベースにして２〜７重量％の少なくとも一種のコモノマーであって、アクリル酸、メタクリル酸、イタコン酸、無水イタコン酸、マレイン酸、無水マレイン酸、及びＤＳＣ法（測定法Ａ２）に従い測定してホモポリマーの静的ガラス転移温度（Ｔｇ）が４０℃超、特に８０℃超の他のモノマーからなる群から選択される少なくとも一種のコモノマー；及び
・コモノマー混合物と少なくとも一種のマクロマーとの総重量をベースにして４３〜９７重量％の少なくとも二つの（メタ）アクリレートコモノマーであって、ＤＳＣ法（測定法Ａ２）に従い測定してホモポリマーの静的ガラス転移温度（Ｔｇ）が４０℃以下、特に２５℃以下のモノマーからなる群から選択される少なくとも二つの（メタ）アクリレートコモノマー、好ましくはエステル基中にＣ１〜Ｃ１８アルキル基を持つ（メタ）アクリレートコモノマー、好ましくはアクリル酸ブチル、アクリル酸アミル、アクリル酸２−エチルヘキシル、アクリル酸イソオクチル及びアクリル酸デシルから選択される少なくとも二つの（メタ）アクリレートコモノマー、
を含み；
−３０〜６４重量部のこうして得られた櫛形コポリマー（Ａ）を、ポリマー組成物１００重量部をベースにして３６〜７０重量部の少なくとも二つの炭化水素化合物（Ｂ−１）及び（Ｂ−２）であって、櫛形コポリマー（Ａ）の炭化水素側鎖と相溶性の少なくとも二つの炭化水素化合物（Ｂ−１）及び（Ｂ−２）と混合するステップ、ここで（Ｂ−１）は少なくとも７０℃の軟化点を有する炭化水素樹脂であり、そして（Ｂ−２）は最大で２０℃の軟化点を有する炭化水素樹脂である；
−場合によっては更に別の添加剤と混合するステップ；
−並びに任意選択的に、反応性官能基を架橋するステップ；
を含む前記方法に関する。
【誤訳訂正２】
【訂正対象書類名】明細書
【訂正対象項目名】００１４
【訂正方法】変更
【訂正の内容】
【００１４】
好ましい実施形態の一つでは、本明細書に開示されるポリマー組成物は、櫛型コポリマー（Ａ）が、コモノマー混合物と少なくとも一種のマクロマーとの総重量をベースにして５０〜９９重量％のコモノマー混合物並びに１〜５０重量％のマクロマー、好ましくは７５〜９５重量％のコモノマー混合物並びに５〜２５重量％のマクロマー、特に好ましくは８５〜９０重量％のコモノマー混合物並びに１０〜１５重量％のマクロマーを含む混合物を重合することによって得ることができることを特徴とする。
【誤訳訂正３】
【訂正対象書類名】明細書
【訂正対象項目名】００４６
【訂正方法】変更
【訂正の内容】
【００４６】
該櫛型コポリマーのアクリレート骨格及び炭化水素側鎖は、溶剤（存在する場合）の除去の後に、相分離した、好ましくはミクロ相分離した構造の形で存在し、この際、炭化水素相Ｋｗ１（これは、櫛型コポリマー（Ａ）の炭化水素側鎖と、この炭化水素相中に可溶性の炭化水素化合物（Ｂ−１）及び（Ｂ−２）から形成される）が、ポリマー組成物の連続アクリレート相中に不連続に存在する。これに関連して連続的とは、アクリレート相が、不連続炭化水素相の個々の断片（ドメインとも言う）をマトリックスのように包んでいることを意味する。ミクロ相分離した構造の存在は、ポリマー組成物の透明な外観の形態に現れる。このようなポリマー組成物では、炭化水素相のドメインは、可視光の波長（３９０〜７８０ｎｍ）より小さい大きさを有する。
【誤訳訂正４】
【訂正対象書類名】明細書
【訂正対象項目名】００６４
【訂正方法】変更
【訂正の内容】
【００６４】
【表１】
2017505354.tif 000001
【誤訳訂正５】
【訂正対象書類名】明細書
【訂正対象項目名】００７１
【訂正方法】変更
【訂正の内容】
【００７１】
ＩＩ  多相ポリマー組成物ＰＳＡ１〜ＰＳＡ１０並びに比較例Ｖ１１〜Ｖ１２の製造
多相ポリマー組成物ＰＳＡ１〜ＰＳＡ１０並びにＶ１１〜Ｖ１２を、櫛型コポリマーＰ１〜Ｐ６から製造した。ポリマーＶＰ７は、ポリマー組成物Ｖ１３の製造のために使用した。このためには、上記で得られた櫛型コポリマーＰＳＡ１〜ＰＳＡ１０もしくはＶＰ７を、それぞれ３０％の固形物含有率にスピリットで希釈した。次いで、表３に記載の架橋剤（０．３重量％のアルミニウムアセチルアセトネート（アルミニウムキレート）（Ａ）または０．０７５重量％のＥｒｉｓｙｓ  ＧＡ２４０（Ｂ）のいずれか）、及び表３に記載の一種もしくは複数種の樹脂を溶液に加えた。次いで、３６μｍ厚のＰＥＴフィルム（Ｋｅｍａｆｏｉｌ  ＨＰＨ  １００、Ｃｏｖｅｍａ社）上にコーティングし、次いで乾燥した（コーティング速度  ２．５ｍ／分、乾燥路  １５ｍ、温度  ゾーン１：４０℃、ゾーン２：７０℃、ゾーン３：９５℃、ゾーン４：１０５℃）。接着剤塗布量はそれぞれ５０ｇ／ｍ２であった。
【誤訳訂正書】
【提出日】平成30年2月22日(2018.2.22)
【誤訳訂正１】
【訂正対象書類名】明細書
【訂正対象項目名】００４４
【訂正方法】変更
【訂正の内容】
【００４４】
０５−０３において、管理サーバ５００は、システムエレメントテーブル５０２−１１から、ターゲットサーバのモデルを決定する。また、管理サーバ５００は、プラットフォームテンプレートテーブル５０２−２２から、要求されたプラットフォームテンプレートのプラットフォームタイプを決定する。次に、管理サーバ５００は、ターゲットサーバモデルと、要求されたプラットフォームテンプレートのプラットフォームタイプに基づいて、サーバＥＦＩ環境設定テーブル５０２−３１から、サーバＥＦＩ環境設定を決定する。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
標的の物体の画像を生成するための方法であって、
複数の励振信号パルスを超音波センサユニットの超音波送信機に印加するステップであって、前記複数の励振信号パルスの周波数が前記超音波センサユニットの内部で超音波定在波信号を生成するために選択される、ステップと、
前記複数の励振信号パルスがある基準時間長印加されるかどうかを判定するステップであって、前記基準時間長は前記超音波定在波信号のエネルギーの第1の閾値レベルを超える増大を可能にするのに十分であるように選択される、ステップと、
前記複数の励起信号パルスが前記基準時間長だけ印加されている場合、
前記超音波センサユニットの超音波受信機を使用して、前記超音波定在波信号と前記標的の物体との間の相互作用と関連付けられる前記超音波定在波信号の1つまたは複数の特性の変化を検出するステップと、
前記超音波定在波信号の前記1つまたは複数の特性の前記検出された変化に基づいて、前記標的の物体の前記画像を生成するステップとを備える、
方法。
【請求項２】
前記超音波定在波信号が、前記選択された周波数における、前記超音波センサユニットの音響空洞の内部の1つまたは複数の反射された超音波信号との、生成された超音波信号の強め合う干渉に起因する、請求項1に記載の方法。
【請求項３】
前記1つまたは複数の反射された超音波信号が、前記超音波センサユニットの1つまたは複数の境界からの前記超音波信号の反射により生成される、請求項2に記載の方法。
【請求項４】
前記超音波定在波信号の前記1つまたは複数の特性の前記変化を検出する間に、前記励振信号パルスを前記超音波センサユニットの前記超音波送信機に印加することを継続するステップをさらに含む、請求項1乃至3の何れか1項に記載の方法。
【請求項５】
前記超音波定在波信号の前記1つまたは複数の特性の前記変化を検出するステップが、前記励振信号パルスが前記超音波センサユニットの前記超音波送信機に印加された後の変化を検出するステップを含む、請求項1乃至4の何れか1項に記載の方法。
【請求項６】
前記時間長が基準期間の経過に基づく、請求項1乃至5の何れか1項に記載の方法。
【請求項７】
前記時間長が前記励振信号パルスの数に基づく、請求項1乃至6の何れか1項に記載の方法。
【請求項８】
前記励振信号パルスの前記数が、4個以上のパルス、5個以上のパルス、または6個以上のパルスである、請求項7に記載の方法。
【請求項９】
前記超音波定在波信号の前記1つまたは複数の特性の前記変化を検出するステップが、前記超音波定在波信号の振幅の変化を検出するステップ、または、前記超音波定在波信号の位相の変化を検出するステップを含む、請求項1乃至8の何れか1項に記載の方法。
【請求項１０】
複数の励振信号パルスを超音波センサユニットの超音波送信機に印加するための手段であって、前記励振信号パルスの周波数が前記超音波センサユニットの内部で超音波定在波信号を生成するために選択される、手段と、
前記複数の励振信号パルスがある基準時間長印加されるかどうかを判定するための手段であって、前記基準時間長は前記超音波定在波信号のエネルギーの第1の閾値レベルを超える増大を可能にするのに十分であるように選択される、手段と、
前記複数の励起信号パルスが前記基準時間長だけ印加されている場合、前記超音波定在波信号と標的の物体との間の相互作用と関連付けられる前記超音波定在波信号の1つまたは複数の特性の変化を検出するための手段と、
前記超音波定在波信号の前記1つまたは複数の特性の前記検出された変化に基づいて、前記標的の物体の画像を生成するための手段と、
を備える、超音波センサシステム。
【請求項１１】
前記検出するための手段は超音波受信機を備え、前記生成するための手段は制御ユニットを備え、前記超音波センサシステムはさらに、複数の励起信号パルスを受信するように構成された超音波送信機を備え、少なくとも前記超音波送信機、前記超音波受信機、および薄膜トランジスタＴＦＴ基板が前記超音波センサユニット内部の音響空洞を形成する、請求項10に記載の超音波センサシステム。
【請求項１２】
前記TFT基板が前記送信機と前記受信機の間に配置される、請求項11に記載の超音波センサシステム。
【請求項１３】
前記超音波センサユニットが、前記超音波受信機を覆って配置されるカバー層を含む、請求項10乃至12の何れか1項に記載の超音波センサシステム。
【請求項１４】
前記励振信号パルスの前記選択される周波数が、音響空洞の厚み、前記音響空洞の密度、前記音響空洞中での音の速さ、またはこれらの任意の組合せに基づく、請求項10乃至13の何れか1項に記載の超音波センサシステム。
【請求項１５】
プロセッサによって実行可能な命令を備えるコンピュータ可読記憶媒体であって、前記命令が、請求項1乃至9の何れか1項に記載の方法を実装するための命令を含む、コンピュータ可読記憶媒体。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
移動体デバイスのポジショニングに関係付けられている支援データを処理するための方法において、
前記方法は、
エリア内の前記移動体デバイスの初期ロケーションを推定することと、
前記移動体デバイスの前記初期ロケーションに基づいて、前記エリアに関係付けられている階層支援データのサブセットを取り出すことと、
前記取り出した階層支援データのサブセットを使用して、前記移動体デバイスの初期ロケーションを中心として、前記エリアに対して、多重レベルの支援データ構造を発生させることとを含み、
前記取り出した階層支援データのサブセットの解像度は、前記移動体デバイスの前記初期ロケーションからの距離の関数として変化し、
前記階層支援データは、相互に異なる解像度を有する複数のレベルを含み、前記複数のレベルの各レベルは、前記各レベルに対する解像度にしたがって規定された、前記エリア内のポイントの配置に対する支援データを含んでいる方法。
【請求項２】
前記多重レベルの支援データ構造に基づいて、前記移動体デバイスの更新されたロケーションを計算することと、
前記更新されたロケーションが前記エリア内の第１の領域の外である場合、または、前記更新されたロケーションの決定された精度がしきい値を下回る場合、前記更新されたロケーションを前記初期ロケーションとして指定することと、前記取り出すことまたは前記発生させることとのうちの少なくとも１つを繰り返すこととによって、前記多重レベルの支援データ構造を更新することをさらに含む請求項１記載の方法。
【請求項３】
前記多重レベルの支援データ構造を発生させることは、
前記取り出した階層支援データのサブセットのそれぞれ第１のものを、前記初期ロケーションから予め規定された距離に渡る、前記エリア内の第１の領域に配置することと、
前記取り出した階層支援データのサブセットの第１のものとは異なる、前記取り出した階層支援データのサブセットのそれぞれ第２のものを、前記第１の領域の外に位置付けられている、少なくとも前記エリア内の第２の領域に配置することとを含む請求項１記載の方法。
【請求項４】
前記取り出した階層支援データのサブセットの第１のものは、それらの第１のレベルと第１の解像度とに関係付けられ、
前記取り出した階層支援データのサブセットの第２のものは、少なくともそれらの第２のレベルと前記第１の解像度よりも粗い少なくとも第２の解像度とに関係付けられている請求項３記載の方法。
【請求項５】
前記階層支援データに関係付けられている最も細かい解像度は、前記エリアに関係付けられている通信システムに対する信号測定精度に基づいており、
前記階層支援データの前記複数のレベルのうちの少なくとも１つ、または、前記階層支援データに関係付けられている１つ以上の解像度は、前記エリアに関係付けられているネットワーク転送制限、または、移動体デバイスの動作キャパシティ、のうちの少なくとも１つに基づいている請求項１記載の方法。
【請求項６】
前記階層支援データの前記複数のレベルのそれぞれは、矩形グリッドに関係付けられており、前記グリッドは、前記レベルに対する解像度によって規定された間隔で、スペースがあけられているポイントを含んでいる請求項１記載の方法。
【請求項７】
前記方法は、前記移動体デバイスにおける記憶デバイスにおいて、前記階層支援データを記憶させることをさらに含み、
前記取り出すことは、前記移動体デバイスのワーキングメモリ中に前記取り出した階層支援データのサブセットをロードすることを含む請求項１記載の方法。
【請求項８】
前記取り出すことは、前記エリアに関係付けられている通信ネットワークを通して、前記取り出した階層支援データのサブセットを受信することを含む請求項１記載の方法。
【請求項９】
ポジショニング動作に関係付けられている支援データを処理する装置において、
前記装置は、
エリア内の前記装置の初期ロケーションを推定する手段と、
前記装置の前記初期ロケーションに基づいて、前記エリアに関係付けられている階層支援データのサブセットを取り出す手段と、
前記取り出した階層支援データのサブセットを使用して、前記装置の初期ロケーションを中心として、前記エリアに対して、多重レベルの支援データ構造を発生させる手段とを具備し、
前記取り出した階層支援データのサブセットの解像度は、前記装置の前記初期ロケーションからの距離の関数として変化し、
前記階層支援データは、相互に異なる解像度を有する複数のレベルを含み、前記複数のレベルの各レベルは、前記各レベルに対する解像度にしたがって規定された、前記エリア内のポイントの配置に対する支援データを含んでいる装置。
【請求項１０】
前記発生させる手段は、
前記取り出した階層支援データのサブセットのそれぞれ第１のものを、前記初期ロケーションから予め規定された距離に渡る、前記エリア内の第１の領域に配置する手段と、
前記取り出した階層支援データのサブセットの第１のものとは異なる、前記取り出した階層支援データのサブセットのそれぞれ第２のものを、前記第１の領域の外に位置付けられている、少なくとも前記エリア内の第２の領域に配置する手段とを備える請求項９記載の装置。
【請求項１１】
前記取り出した階層支援データのサブセットの第１のものは、それらの第１のレベルと第１の解像度とに関係付けられ、
前記取り出した階層支援データのサブセットの第２のものは、少なくともそれらの第２のレベルと、前記第１の解像度よりも粗い少なくとも第２の解像度とに関係付けられている請求項１０記載の装置。
【請求項１２】
前記装置は、前記階層支援データをローカルに記憶する手段をさらに具備し、
前記取り出す手段は、前記取り出した階層支援データのサブセットを、前記装置のワーキングメモリ中にロードする手段を備える請求項９記載の装置。
【請求項１３】
前記取り出す手段は、前記エリアに関係付けられている通信ネットワークを通して、前記取り出した階層支援データのサブセットを受信する手段を備える請求項９記載の装置。
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
画像検索の方法であって、
プロセッサにおいて、複数の選択されたオブジェクトを特定する情報を取得することと、
前記プロセッサにおいて、複数の幾何学的構成の候補のうちの１つの幾何学的構成の選択を受信することと、ここにおいて、各幾何学的構成の候補は、基準の位置に対するオブジェクトの分布を表す、
少なくとも１つのプロセッサによって、前記選択に応答して、複数のデジタル画像のなかから、前記選択された幾何学的構成に従って並べられている前記特定される複数の選択されたオブジェクトを示す少なくとも１つのデジタル画像を特定することと、
を備える方法。
【請求項２】
前記取得された情報は、前記複数の選択されたオブジェクトに関連付けられた少なくとも１つのラベルを含み、
前記少なくとも１つのデジタル画像を特定することは、前記複数のデジタル画像と関連付けられるメタデータ内で前記少なくとも１つのラベルを探索することを含む、
請求項１に記載の画像検索の方法。
【請求項３】
前記少なくとも１つのデジタル画像を特定することは、前記複数のデジタル画像と関連付けられるメタデータ内で、前記幾何学的構成の候補と関連付けられるラベルを探索することを備える、請求項１に記載の画像検索の方法。
【請求項４】
前記少なくとも１つのデジタル画像は、第１のビデオファイルからの複数のフレームと、第２のビデオファイルからの複数のフレームとを含む、請求項１に記載の画像検索の方法。
【請求項５】
前記複数の選択されたオブジェクトを特定する情報を前記取得することは、音声認識またはタッチスクリーンのうちの少なくとも１つを使用して実行される、請求項１に記載の画像検索の方法。
【請求項６】
前記基準の位置は、特定の位置空間の中の座標位置である、請求項１に記載の方法。
【請求項７】
命令を記憶する非一時的コンピュータ可読媒体であって、前記命令が、プロセッサによって実行されると、前記プロセッサに、請求項１乃至６のうちのいずれか１つの方法を実行させる命令を記憶する非一時的コンピュータ可読媒体。
【請求項８】
画像検索のための装置であって、
複数の選択されたオブジェクトを特定する情報を取得するための手段と、
複数の幾何学的構成の候補のうちの１つの幾何学的構成の選択を受信するための手段と、ここにおいて、各幾何学的構成の候補は、基準の位置に対するオブジェクトの分布を表す、
前記選択に応答して、複数のデジタル画像のなかから、前記選択された幾何学的構成に従って並べられている前記特定される複数の選択されたオブジェクトを示す少なくとも１つのデジタル画像を特定するための手段と、
を備える装置。
【請求項９】
前記取得された情報は、前記複数の選択されたオブジェクトに関連付けられた少なくとも１つのラベルを含み、
前記装置は、前記複数のデジタル画像と関連付けられるメタデータ内で前記少なくとも１つのラベルを探索するための手段を含む、請求項８に記載の装置。
【請求項１０】
前記装置は、前記複数のデジタル画像と関連付けられるメタデータ内で、前記幾何学的構成の候補と関連付けられるラベルを探索するための手段を備える、請求項８に記載の装置。
【請求項１１】
前記少なくとも１つのデジタル画像は、第１のビデオファイルからの複数のフレームと、第２のビデオファイルからの複数のフレームとを含む、請求項８に記載の装置。
【請求項１２】
前記複数の選択されたオブジェクトを特定する情報を取得するための前記手段は、音声認識またはタッチスクリーンのうちの少なくとも１つを使用して前記情報を取得するように構成される、請求項８に記載の装置。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
酸素供給管を受け取る近位端部および患者の気管に挿入する遠位端部を有する本体を有し、
前記本体が前記近位端部に隣接する直線部分および前記遠位端部に隣接する湾曲部分を有し、
前記本体が外筒を有し、かつこの外筒を貫通して、前記酸素供給管を受け取る第１内腔を有する気道確保装置であって、
この気道確保装置の曲げ強度を前記外筒によって確保したことを特徴とする気道確保装置。
【請求項２】
前記第１内腔の横断面が、前記酸素供給管が前記本体の少なくとも前記直線部分に対応する前記第１内腔の一部に位置するような形状に形成され、第１内腔の残りの横断面において第２通路が維持できる第１通路を有する請求項１に記載の気道確保装置。
【請求項３】
前記第２通路が内視鏡を受け取るように構成するとともに、この第２通路を、前記本体の少なくとも前記直線部分に前記内視鏡が位置できる形状に形成した請求項２に記載の気道確保装置。
【請求項４】
前記本体が第３通路を有し、この第３通路が胃排液管を受け取るように構成した請求項１〜３のいずれか１項に記載の気道確保装置。
【請求項５】
前記本体が、この本体の長さにそって設けられた中間ストリップを有し、前記第３通路を、前記本体および前記中間ストリップの細長い凹部によって形成した請求項４に記載の気道確保装置。
【請求項６】
前記中間ストリップを、前記本体の外面と同一平面になるように形成した請求項５に記載の気道確保装置。
【請求項７】
さらに、対向する第１縁部および第２縁部を有するトロイド状膜を有し、前記第１縁部を前記本体の対応する部分に成形法によって形成するとともに、前記第２縁部を前記本体の対応する第２部分に成形法によって形成し、前記第１部分および第２部分を離間関係に置くとともに、前記膜によって膨張性カフを形成した請求項１〜６のいずれか１項に記載の気道確保装置。
【請求項８】
前記第３通路が前記遠位端部の先端まで延在し、またこの第３通路が、胃排液管が開口から延在するようにこの開口において終端する請求項４〜７のいずれか１項に記載の気道確保装置。
【請求項９】
さらに、前記第３通路の近位端部に取り付けられた受け取り管を有し、前記胃排液管を受け取ることができるようにこの受け取り管を構成した請求項４〜８のいずれか１項に記載の気道確保装置。
【請求項１０】
前記受け取り管を前記中間ストリップに取り付けた請求項９に記載の気道確保装置。
【請求項１１】
前記先端に隣接する第３通路および前記カフが離散的に配置され、第３通路が実質的に閉塞される程度には該第３通路に接触することなく前記カフを膨張できるように、前記開口を構成した請求項８〜１０のいずれか１項に記載の気道確保装置。
【請求項１２】
さらに、前記先端に隣接し、かつ前記第３通路およびカフの中間にあるチャンバーを有し、このチャンバーが前記カフの膨張バッファになる請求項１１に記載の気道確保装置。
【請求項１３】
請求項１に記載の気道確保装置の膨張性カフの製造方法であって、
開放長さを有する膜を前記装置の気道管の周囲に射出成形するステップ、および
この気道管に対して前記膜の開放長さを閉じ、膨張性カフを形成するステップを有する製造方法。
【請求項１４】
前記の閉じるステップで、断面を前記開放長さに第２射出成形して、前記開放長さを封止する請求項１３に記載の製造方法。
【請求項１５】
前記膜の射出成形の前に、さらに、
前記装置の本体の細長い凹部にそって中間ストリップを設けるステップ、
この中間ストリップと前記の細長い凹部との間に通路を形成するステップ、および
成形方法を使用して前記ストリップを封止するステップを有する請求項１３または１４に記載の製造方法。
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
免疫不全症を罹患しているか又はその感受性がある被験者における、微生物感染症の治療又は防止における使用のための、プロテアーゼ活性を有するポリペプチド。
【請求項２】
前記プロテアーゼが、セリンプロテアーゼ、スレオニンプロテアーゼ、システインプロテアーゼ、アスパルテートプロテアーゼ、グルタミン酸プロテアーゼ、及びメタロプロテアーゼからなる群より選択される、請求項１に記載のポリペプチド。
【請求項３】
前記プロテアーゼがトリプシン又はキモトリプシンである、請求項２に記載のポリペプチド。
【請求項４】
前記免疫不全症が、続発性又は後天性免疫不全症である、請求項１〜３のいずれか１項に記載のポリペプチド。
【請求項５】
前記被験者が原発性免疫不全症を有する、請求項１〜３のいずれか１項に記載のポリペプチド。
【請求項６】
前記患者が、表Ｉ〜VIIIに列記された群より選択される原発性免疫不全症を有する、請求項１〜５のいずれか１項に記載のポリペプチド。
【請求項７】
口腔及び／又は咽頭の二次感染、
鼻漏、口腔の真菌感染症及び／又は歯茎炎症、
細菌感染症、ウイルス感染症、真菌感染症、及び酵母感染症、
からなる群より選択される微生物感染症の治療又は防止における使用のための、請求項１〜６のいずれか１項に記載のポリペプチド。
【請求項８】
前記ポリペプチドが、配列番号１のアミノ酸配列：
IVGGYECTKHSQAHQVSLNSGYHFCGGSLVSKDWVVSAAHCYKSVLRVRLGEHHIRVNEGTEQYISSSSVIRHPNYSSYNINNDIMLIKLTKPATLNQYVHAVALPTECAADATMCTVSGWGNTMSSVADGDKLQCLSLPILSHADCANSYPGMITQSMFCAGYLEGGKDSCQGDSGGPVVCNGVLQGVVSWGYGCAERDHPGVYAKVCVLSGWVRDTMANY［配列番号１］か、或いは、前記アミノ酸配列のトリプシン活性を保持する、そのフラグメント、変異体、誘導体、又は融合体（或いは、前記フラグメント、変異体、又は誘導体の融合体）を含んでなるか又はそれから構成される、請求項１〜７のいずれか１項に記載のポリペプチド。
【請求項９】
前記ポリペプチドが、配列番号１によるアミノ断配列を含んでなるか又はそれから構成される、請求項８に記載のポリペプチド。
【請求項１０】
前記ポリペプチドが、配列番号１によるアミノ酸配列のフラグメントを含んでなるか又はそれから構成される、請求項１〜８のいずれか１項に記載のポリペプチド。
【請求項１１】
前記ポリペプチドが、配列番号１によるアミノ酸配列の変異体を含んでなるか又はそれから構成され得る、請求項１〜８のいずれか１項に記載のポリペプチド。
【請求項１２】
前記変異体が、配列番号１によるアミノ酸配列又はそのフラグメントと、少なくとも５０％、例えば少なくとも５５％、６０％、６５％、７０％、７５％、８０％、９０％、９５％、９６％、９７％、９８％、又は少なくとも９９％の同一性をもつアミノ酸配列を有する、請求項１１に記載のポリペプチド。
【請求項１３】
プロテアーゼ活性を有する前記ポリペプチドが、以下のアミノ酸位置：
E21, H25, H29, V47, K49, D50, L63, H71, H72, R74, N76, T79, Y82, S85, S87, S89, N98, I99, V121, M135, V138, M145, V148, D150, K154, L160, M175, S179, A183, L185, V212, Y217, P225, A229, V233, L234, V238, N240, Y241及び／又は M242.からなる群より選択される１つ以上の突然変異アミノ酸を含んでなる、配列番号１の変異体か、又は抗微生物活性を示すそのフラグメントである、請求項１１又は１２に記載のポリペプチド。
【請求項１４】
プロテアーゼ活性を有する前記ポリペプチドが、表３のポリペプチドの群より選択される、請求項１１〜１３のいずれか１項に記載のポリペプチド。
【請求項１５】
前記ポリペプチドが、口腔及び／又は咽頭の粘膜への送達に適した形態で提供される、請求項１〜１４のいずれか１項に記載のポリペプチド。
【請求項１６】
免疫不全症を罹患しているか又はその感受性がある被験者における、微生物感染症の治療又は防止のための医薬の調製における、請求項１〜１５のいずれか１項において定義された通りのポリペプチドの用途。
【請求項１７】
前記ポリペプチドがトリプシン又はキモトリプシンである、請求項１６に記載の用途。
【請求項１８】
前記ポリペプチドが、配列番号１のアミノ酸配列、又は、前記アミノ酸配列のトリプシン活性を保持する、そのフラグメント、変異体、誘導体、又は融合体（或いは、前記フラグメント、変異体、又は誘導体の融合体）を含んでなるか又はそれから構成される、請求項１６又は１７に記載の用途。
【請求項１９】
前記ポリペプチドが口腔スプレー、鼻腔スプレー、ロゼンジ、香錠、チューインガム、又は液体で提供される、請求項１６〜１８のいずれか１項に記載の用途。
【請求項２０】
前記被験者が原発性免疫不全症を有する、請求項１６〜１９のいずれか１項に記載の用途。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
以下を含む抗BAFF抗体分子：
配列番号:5のCDR1、配列番号:8のCDR2及び配列番号:9のCDR3を含む軽鎖可変ドメイン、並びに配列番号:28のCDR1、配列番号:29のCDR2及び配列番号:30のCDR3を含む重鎖可変ドメイン。
【請求項２】
配列番号:93の軽鎖可変ドメイン及び配列番号:114の重鎖可変ドメインを含む抗BAFF抗体分子。
【請求項３】
ヒトBAFFの3形態全てを中和し、前記の形態には、膜結合BAFF（mbBAFF）、可溶性三量体BAFF及び可溶性60量体BAFFが含まれる、請求項１に記載の抗BAFF抗体分子。
【請求項４】
抗BAFF抗体分子がヒト可溶性三量体BAFFを中和する、請求項１に記載の抗BAFF抗体分子。
【請求項５】
ヒト膜結合BAFFを中和する、請求項１に記載の抗BAFF抗体分子。
【請求項６】
ヒト可溶性60量体BAFFを中和する、請求項１に記載の抗BAFF抗体分子。
【請求項７】
以下を含む、請求項１記載の抗BAFF抗体分子：
a）配列番号:5、8及び9のCDR並びに配列番号:93の可変ドメイン軽鎖アミノ酸配列のフレームワーク領域のアミノ酸配列と少なくとも90%同一のアミノ酸配列を有するフレームワーク領域を含むヒト化軽鎖可変ドメイン；及び
b）配列番号:28、29及び30のCDR並びに配列番号:114の可変ドメイン重鎖アミノ酸配列のフレームワーク領域のアミノ酸配列と少なくとも90%同一のアミノ酸配列を有するフレームワーク領域を含むヒト化重鎖可変ドメイン。
【請求項８】
抗体がモノクローナル抗体である、請求項１に記載の抗BAFF抗体分子。
【請求項９】
モノクローナル抗体がヒト化モノクローナル抗体である、請求項８に記載の抗BAFF抗体分子。
【請求項１０】
請求項１に記載の抗BAFF抗体分子を含む医薬組成物。
【請求項１１】
BAFF関連疾患を有する非ヒト対象動物を治療する方法であって、請求項１に記載の抗BAFF抗体分子、又は請求項1に記載の抗BAFF抗体分子を含む医薬組成物を非ヒト対象動物に投与する工程を含み、ここで、前記抗BAFF抗体分子がヒトBAFFに結合する、前記方法。
【請求項１２】
炎症疾患、自己免疫疾患、呼吸器疾患、代謝異常又は癌を治療する方法であって、請求項１に記載の抗BAFF抗体分子、又は請求項１に記載の抗BAFF抗体分子を含む医薬組成物の有効量を非ヒト対象動物に投与する工程を含む、前記方法。
【請求項１３】
疾患が、全身性エリテマトーデス、ループス腎炎又は慢性関節リウマチである、請求項１２に記載の方法。
【請求項１４】
BAFFと哺乳細胞の1つ以上のBAFF受容体との結合を阻害するin vitroの方法であって、該BAFF受容体がBAFF-R（BR3）、TACI（トランスメンブレンアクチベーター及びカルシウム調整因子及びシクロフィリンリガンド相互作用因子）及び/又はBCMA（B細胞成熟抗原）であり、請求項１に記載の抗BAFF抗体分子を当該細胞に投与し、BAFF受容体によって媒介されるシグナリングを阻害する工程を含む、前記方法。
【請求項１５】
配列番号:93の軽鎖可変領域、又は配列番号:114の重鎖可変領域をコードする配列を含む、ポリヌクレオチド。
【請求項１６】
軽鎖可変領域が配列番号:394であり重鎖可変領域が配列番号:398である、請求項１５に記載のポリヌクレオチド。
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
a．7〜26個のホスホロチオエート連結したヌクレオシドの連続配列の第1領域（A）；
b．7〜26個のホスホロチオエート連結したヌクレオシドの連続配列の第2領域（A'）；
c．領域AおよびA'を共有結合で連結する1〜5個の生理学的に不安定なヌクレオチドの領域（B）；ならびに
d．1〜5個の生理学的に不安定なヌクレオチドの領域またはペプチドリンカー、例えば、リジンリンカーのいずれかを含む生物切断性（biocleavable）リンカーなどの生物切断性リンカー（B'）を介して領域AまたはA'に共有結合で連結された、コンジュゲート部分（C）であって、GalNAc/GalNAcクラスタを含むコンジュゲート部分
を含むオリゴマー化合物。
【請求項２】
第1領域（A）および第2領域（A'）が、それぞれ、生理学的に不安定なヌクレオチドの領域（B）の5'および3'に位置する、請求項1記載のオリゴマー化合物。
【請求項３】
コンジュゲート部分（C）が、1〜5個のホスホジエステル連結したDNAヌクレオチドなどの1〜5個の生理学的に不安定なヌクレオチドの領域を介して領域AまたはA'に共有結合で連結されている、請求項1または2記載のオリゴマー化合物。
【請求項４】
コンジュゲート部分（C）が、リジンリンカーなどのペプチド領域を介して領域AまたはA'に共有結合で連結されている、請求項1または2記載のオリゴマー化合物。
【請求項５】
コンジュゲート部分（C）が、3価GalNAcコンジュゲートである、請求項1〜4のいずれか一項記載のオリゴマー化合物。
【請求項６】
第1領域および第2領域の核酸塩基の連続配列が同一である、請求項1〜5のいずれか一項記載のオリゴマー化合物。
【請求項７】
第1領域および第2領域の核酸塩基の連続配列が異なる、請求項1〜5のいずれか一項記載のオリゴマー化合物。
【請求項８】
第1領域および第2領域が同一の核酸標的にターゲティングされている、請求項1〜7のいずれか一項記載のオリゴマー化合物。
【請求項９】
第1領域および第2領域が異なる核酸標的にターゲティングされている、請求項1〜7のいずれか一項記載のオリゴマー化合物。
【請求項１０】
第1領域（A）および第2領域（A'）が少なくとも1個のLNAヌクレオシドを各々含む、請求項1〜9のいずれか一項記載のオリゴマー化合物。
【請求項１１】
第1領域（A）および／または第2領域（A'）がLNAギャップマーなどのギャップマーオリゴマーである、請求項1〜10のいずれか一項記載のオリゴマー化合物。
【請求項１２】
第1領域および／または第2領域がmRNA標的を標的とする、請求項1〜11のいずれか一項記載のオリゴマー化合物。
【請求項１３】
第1領域および／または第2領域がマイクロRNA標的を標的とする、請求項1〜12のいずれか一項記載のオリゴマー化合物。
【請求項１４】
第1領域および／または第2領域がミックスマーオリゴマーまたはトータルマー（totalmer）オリゴマーである、請求項1〜13のいずれか一項記載のオリゴマー化合物。
【請求項１５】
第1領域および第2領域が10〜16ヌクレオチド長である、請求項1〜14のいずれか一項記載のオリゴマー化合物。
【請求項１６】
第1領域および第2領域が8〜10ヌクレオチド長である、請求項1〜14のいずれか一項記載のオリゴマー化合物。
【請求項１７】
第1領域および第2領域の少なくとも一方または両方がmiR ID NO 40〜976からなる群より選択されるマイクロRNAを標的とする、請求項1〜16のいずれか一項記載のオリゴマー化合物。
【請求項１８】
第1領域が［例えばヒト］アポB-100 mRNAヌクレオチド配列に相補的であり、かつ／または第2領域が［例えばヒト］mtGPAT mRNAヌクレオチド配列に相補的である、請求項1〜16のいずれか一項記載のオリゴマー化合物。
【請求項１９】
第1配列が第2配列の5'に位置する、請求項1〜18のいずれか一項記載のオリゴマー化合物。
【請求項２０】
第1配列が第2配列の3'に位置する、請求項1〜18のいずれか一項記載のオリゴマー化合物。
【請求項２１】
請求項1〜20のいずれか一項記載のオリゴマー化合物と、薬学的に許容される希釈剤、担体、塩、またはアジュバントとを含む薬学的組成物。
【請求項２２】
請求項1〜20のいずれか一項記載のオリゴマー化合物を含む、細胞における核酸標的の阻害において使用するための薬学的組成物。
【請求項２３】
請求項1〜20のいずれか一項記載のオリゴマー化合物を含む、細胞における2種の異なる核酸標的の阻害において使用するための薬学的組成物。
【請求項２４】
請求項1〜20のいずれか一項記載のオリゴマー化合物を含む薬学的組成物。
【請求項２５】
請求項1〜20のいずれか一項記載のオリゴマー化合物を含む、代謝疾患または代謝障害などの疾患または障害の処置において使用するための薬学的組成物。
【請求項２６】
代謝疾患または代謝障害などの疾患または障害の処置のための医薬の調製のための、請求項1〜20のいずれか一項記載のオリゴマー化合物の使用。
【請求項２７】
処置を必要とする対象における疾患または障害の処置のための医薬の調製のための、請求項1〜20のいずれか一項記載のオリゴマー化合物の使用。
【請求項２８】
標的遺伝子を発現している細胞における該標的遺伝子の発現を阻害するための医薬の調製のための、請求項1〜20のいずれか一項記載のオリゴマー化合物の使用。
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
賭けている人が賭け領域上に賭け金を置くことによって賭けをするゲームテーブルと、
前記ゲームテーブル上に置かれ、カードの数（ランク）を読み取るカード読取部を有し、前記カード読取部が順次読み取った前記カードの数の情報に基づいて、テーブルゲームのルールに従い、勝ち手を判定する制御部を有するカードシュータ装置と、
前記カードシュータ装置から賭けている人に配られた前記カードの位置を撮り、前記ゲームテーブルの各賭け領域上の賭け金を識別する監視ビデオカメラシステムとを有する、テーブルゲームをプレイするためのカードゲーム監視システムであって、
前記制御部は、前記監視ビデオカメラシステムの前記情報を用いて、
１）各賭け領域上の前記賭け金または各賭けている人に配られたカードを識別することによって、各ゲームをプレイしている前記賭けている人の頭数と、
２）各賭けている人が、前記カードシュータ装置から２枚より多いカードをもらうかどうかと、
３）前記ゲームのルールに従い、前記賭けている人の頭数の前記情報を用いて、前記ゲームテーブルに配られたカードの情報に従って前記賭けている人およびディーラの各手札と、
４）前記賭けている人および前記ディーラの各手札の前記情報に基づいて、前記ゲームのルールに従い、前記ゲームの前記勝ち手を有する勝者とを判定する処理機能を有する、カードゲーム監視システム。
【請求項２】
前記制御部は、前記ディーラが配った前記ゲームテーブル上のトランプのランクを識別し、カードのランクが、前記カードシュータ装置が判定したものと同一であるかどうかを確認し通知する処理機能をさらに有する、請求項１に記載のカードゲーム監視システム。
【請求項３】
前記カードシュータ装置は、各ゲームの開始と終了に関する判定機能をさらに有する、請求項１に記載のカードゲーム監視システム。
【請求項４】
前記制御部は、各ゲーム中、賭け金が元の賭け位置から他の領域に移動しないかどうかを確認する処理機能をさらに有する、請求項３に記載のカードゲーム監視システム。
【請求項５】
ゲーム用のカードゲーム監視システムであって、
賭けている人が、勝つと思われるバンカーの手とプレイヤの手のうちの何れかの賭け領域に賭け金を置くことによって賭けを行うゲームテーブルと、
前記ゲームテーブル上に置かれ、カードが前記テーブル上に配られるときに前記カードの数を読み取るカード識別機能を有するカードシュータ装置と、
前記ゲームテーブル上のカードおよび前記賭け金の移動を撮る監視ビデオカメラシステムと、
前記テーブル上で配られたカードの数の情報を基に、ゲームのルールに従って、勝ち手が前記バンカーであるか前記プレイヤであるかを判定する処理機能を有する制御部とを有し、
前記制御部は、各ゲームが終了した後、ペイオフと共に賭け金が、前記賭けている人のうちの前記勝者のところに移動するかどうかを確認する処理機能を有する、カードゲーム監視システム。
【請求項６】
前記制御部は、前記ディーラが配った前記ゲームテーブル上のトランプのランクを識別し、カードのランクが、前記カードシュータ装置が判定したものと同一であるかどうかを確認し通知する処理機能をさらに有する、請求項５に記載のカードゲーム監視システム。
【請求項７】
前記カードシュータ装置は、各ゲームの開始と終了に関するさらなる判定機能を有する、請求項５に記載のカードゲーム監視システム。
【請求項８】
前記制御部は、各ゲーム中に、賭け金が元の賭け位置から他の領域へ移動しないかどうかを確認するさらなる処理機能を有する、請求項７に記載のカードゲーム監視システム。
【請求項９】
前記監視ビデオカメラシステムはさらに、前記ゲームテーブル上の賭け金の移動の方向を読み取り、
前記制御部は、各ゲームの終了時、ペイオフと共に賭け金が、前記カードシュータ装置が判定した前記賭けている人のうちの前記勝者のところに移動するかどうかを確認する処理機能をさらに有する、請求項１に記載のカードゲーム監視システム。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
１種以上のファージ構造蛋白質にパッケージングされた少なくとも１つの治療用配列および細菌の複製起点；および
インビボで、マイクロバイオーム内の少なくとも１種の特定の標的細菌に選択的に付着するように設計された受容体結合蛋白質、
を含む、ファージ由来のファージ粒子であって、
治療用配列は、標的細菌中でのファージ蛋白質の発現と独立しないで、標的細菌中でインビボで発現することができ、発現した治療用配列は、標的細菌にとって非致死性であり、
ファージ粒子は、１種以上の機能的であるファージ複製遺伝子を欠き、ファージの子孫を独立して産生することのできない、
ファージ由来のファージ粒子。
【請求項２】
細菌の複製起点およびマイクロバイオーム内の標的細菌中で発現することができる少なくとも１つの異種性核酸配列を含む核酸分子を含むファージ粒子であって、発現および発現した異種性核酸配列は、標的細菌にとって非致死性であり、少なくとも１つの異種性核酸配列は、ファージ複製遺伝子と独立して標的細菌中で複製することができ、ファージの子孫を産生しない、ファージ粒子。
【請求項３】
異種性核酸配列が、治療用産物の発現および標的化のための調節配列をコードする、請求項２記載のファージ粒子。
【請求項４】
ファージ粒子が、さらに、パッケージング細胞株においてのみ形成し得るように、ファージ遺伝子が欠損しているパッケージングされたゲノムを含む、請求項２記載のファージ粒子であって、異種性核酸配列がパッケージングされたゲノム中に自家性カセットとして存在する、ファージ粒子。
【請求項５】
異種性核酸配列がＤＮＡおよび／またはＲＮＡであり、ＲＮＡが調節ＲＮＡ配列をコードする、請求項２記載のファージ粒子。
【請求項６】
異種性核酸配列が、産業的環境または環境中の毒性産物を治療することができる産物をコードし、ファージ粒子を標的細菌と共投与してよい、請求項２記載のファージ粒子。
【請求項７】
異種性核酸配列が、前駆物質を産業製品へと代謝することができる産物をコードする、請求項２記載のファージ粒子。
【請求項８】
ファージ粒子が、植物病原体または有害生物の処置のために、植物または土壌に適用される、請求項２記載のファージ粒子の適用。
【請求項９】
１種以上のファージ構造蛋白質にパッケージングされた少なくとも１つの核酸配列および細菌の複製起点および受容体結合蛋白質を含むファージ由来の組成物を標的細菌に提供する工程、ここで、該組成物は、１種以上の機能的であるファージ複製遺伝子を欠き、ファージの子孫を独立して産生することのできない；
受容体結合蛋白質を介して標的細菌に組成物を付着させる工程；および
標的細菌中で核酸配列を発現させる工程、ここで、該核酸配列の発現および発現した核酸配列が標的細菌に対して非致死性であり、発現した核酸配列が治療効果を生じる、
を含む、核酸配列を送達するための方法。
【請求項１０】
標的細菌が生物体と関連がある、請求項９記載の方法。
【請求項１１】
標的細菌が天然環境と関連がある、請求項９記載の方法。
【請求項１２】
核酸配列が、また、治療用エレメントの標的細菌のゲノムへの安定した組み込みを促進することができる少なくとも１つのエレメントをコードする、請求項９記載の方法。
【請求項１３】
核酸配列が、グルテン不耐性の処置のために、グルテンを破壊する酵素をコードする、請求項１０記載の方法。
【請求項１４】
標的細菌中で機能的である細菌またはファージのプロモーターの制御下において核酸配列の発現を制御する工程をさらに含み、プロモーターは、天然で構成的であるか、または環境刺激により調節される、請求項９記載の方法。
【請求項１５】
組成物を提供する工程が、局所、眼内、分散、スプレー、分布、注射、または滴下適用経路を介して行われる、請求項１０記載の方法。
【請求項１６】
標的細菌中で核酸配列を発現させる工程が、付近の１つ以上の他の細胞、原核生物または真核生物により認識され、免疫応答を誘発する、請求項９記載の方法。
【請求項１７】
核酸配列の発現が、毒または環境汚染を低下させるために使用される、請求項１１記載の方法。
【請求項１８】
核酸配列の発現が、代謝産物の産生の改善のために使用される、請求項９記載の方法。
【請求項１９】
核酸配列の発現が、病原体の伝達をすることができる昆虫ベクターの効果を低下させる、および／または除くために使用される、請求項１０記載の方法。
【請求項２０】
標的細菌を、組成物の前にまたは組成物と一緒に、天然環境に投与する工程をさらに含む、請求項１１記載の方法。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
１つ又は複数のプロセッサ実行可能ルーチンを記憶する非一時的なコンピュータ可読メモリ（２８）であって、前記プロセッサ実行可能ルーチンは、実行される場合、血液試料（２２）中でのアデノシン二リン酸（ＡＤＰ）の放出を誘発するために、１つ又は複数の電気パルスのシーケンスを、前記血液試料（２２）に当て、ＡＤＰの前記放出は、前記血液試料（２２）内での血小板活性化及び凝固を誘発する、非一時的なコンピュータ可読メモリ（２８）と、
前記血液試料（２２）の１つ又は複数の電気特性の推定値を判定するように構成される電流感知回路（３４）であって、前記１つ又は複数のプロセッサ実行可能ルーチンはさらに、実行される場合、前記血液試料（２２）の少なくとも１つの電気特性を示す感知信号を生成する、前記電流感知回路（３４）と、
前記コンピュータ可読メモリ（２８）内に記憶される前記１つ又は複数のプロセッサ実行可能ルーチンにアクセスしてこれを実行するように構成されるプロセッサ（２６）と
を備え、
前記血液試料（２２）の前記少なくとも１つの電気特性が前記プロセッサ（２６）により処理され、前記血液試料（２２）に当てる１つ又は複数の電気パルスのシーケンスをパラメータ化して、ＡＤＰの放出を誘発するシステム（１０）。
【請求項２】
１つ又は複数のプロセッサ実行可能ルーチンを記憶する非一時的なコンピュータ可読メモリ（２８）であって、前記プロセッサ実行可能ルーチンは、実行される場合、血液試料（２２）中での成長因子の放出を誘発するために、１つ又は複数の電気パルスのシーケンスを、前記血液試料（２２）に当て、１つ又は複数の電気パルスの前記シーケンスは、前記成長因子の前記放出と同時に起こる前記血液試料（２２）内での凝固を生じさせない、非一時的なコンピュータ可読メモリ（２８）と、
前記血液試料（２２）の１つ又は複数の電気特性の推定値を判定するように構成される電流感知回路（３４）であって、前記１つ又は複数のプロセッサ実行可能ルーチンはさらに、実行される場合、前記血液試料（２２）の少なくとも１つの電気特性を示す感知信号を生成する、前記電流感知回路（３４）と、
前記コンピュータ可読メモリ（２８）内に記憶される前記１つ又は複数のプロセッサ実行可能ルーチンにアクセスしてこれを実行するように構成されるプロセッサ（２６）と
を備え、
前記血液試料（２２）の前記少なくとも１つの電気特性が前記プロセッサ（２６）により処理され、前記血液試料（２２）に当てる１つ又は複数の電気パルスのシーケンスをパラメータ化して、前記成長因子の放出を誘発するシステム（１０）。
【請求項３】
前記血液試料（２２）は、１つ又は複数の電気パルスの前記シーケンスが当てられる前に、塩化カルシウム（ＣａＣｌ２）を含む、請求項１または２に記載のシステム（１０）。
【請求項４】
前記血液試料（２２）は、全血試料又は血小板の豊富な血漿である、請求項１乃至３のいずれかに記載のシステム（１０）。
【請求項５】
前記成長因子は、血小板由来成長因子を含む、請求項２に記載のシステム（１０）。
【請求項６】
前記血液試料（２２）の１つ又は複数の電気特性の推定値を判定するように構成される電流感知回路（３４）をさらに備え、前記１つ又は複数のプロセッサ実行可能ルーチンはさらに、実行される場合、電気パルスを前記血液試料（２２）に当てるプロセッサ実行可能ルーチンを含み、前記電気パルスは、前記電流感知回路（３４）によって処理される、請求項１乃至５のいずれかに記載のシステム（１０）。